(57)【要約】      （修正有）【課題】地震等の揺れが生じた時、免震構造物に緊結された外部仮設構造物が免震構造体の上部躯体の揺れに合わせて揺れるように支持することができるとともに、使用するすべり支承材は外部仮設構造物の脚部下に直接配設できるので設置が容易であり、足場等に使用する場合も通常の設置形態に直応用できる。【解決手段】外部仮設構造物である外部足場２のジャキベース４下に、外部足場２が免震構造物の揺れに合わせて水平移動できるように、超高分子量ポリエチレン樹脂を原料として成形圧力１００ｋｇ／ｃｍ２以上で成形した、摩擦係数が乾燥状態で０．１〜０．２のすべり支承板６を配設し、このすべり支承板６を配設した外部足場２の脚部２ａの下端部をつなぎ金具７を介して免震構造物１に緊結した。【選択図】図１
2008291859.tif 000002
【特許請求の範囲】
【請求項１】
外部仮設構造物の脚部下に、外部仮設構造物が免震構造物の揺れに合わせて水平移動できるように、超高分子量ポリエチレン樹脂を原料として成形圧力１００ｋｇ／ｃｍ２以上で成形した、摩擦係数が乾燥状態で０．１〜０．２のすべり支承板を配設し、前記すべり支承板を配設した脚部の下端部をつなぎ金具を介して免震構造物に緊結したことを特徴とした免震構造物用外部仮設構造物。
【発明の詳細な説明】
【技術分野】
【０００１】
本発明は、免震構造物用の外部足場、工事用エレベータのガイドレールマストなどの外部仮設構造物に関するものである。
【背景技術】
【０００２】
免震構造の建物は、周知なごとく積層ゴムを用いた免震装置で支えられて、地震の衝撃は免震装置によってやわらげられ、建物全体がゆっくり水平に揺れるため、安全性と快適性が高められる。
【０００３】
かかる免震構造の建物の構築の際に外部足場等の外部仮設構造物を設置しようとする場合、従来では、非免震構造の建物を構築する場合と同様に、地面に敷いた敷板の上に外部足場等を組み立てた後、組み立てられた外部足場等を壁つなぎ用金具によって建物に緊結している。
【０００４】
しかし、地震等が発生した場合には、免震構造物の揺れ方向と地面の揺れ方向とは互いに反対方向となるため、免震構造の建物に外部足場等を上記の如くして設置すると、外部足場等は壁つなぎ用金具によって免震構造物に固定されている上部と地面に接している下端部とでは揺れ方が異なってしまい、外部足場等の倒壊を招く虞れがあるという問題点を有している。
【０００５】
そこで、外部足場等は犬走り上や、上部躯体に直接ブラケットを設けて、上部構造と一体化することが望ましいが、実際の工事では、建物形状や、敷地や工事動線の制限から、なかなか難しい面がある。
【０００６】
これに対して下記特許文献１は、すべり支承材を介在させることで、地震等の揺れが生じた時、免震構造物に緊結された外部足場が免震構造体の上部躯体の揺れに合わせて揺れるように支持することができるようにしたものである。
【特許文献１】特開２００２−４５７１号公報
【０００７】
詳しくは図２に示すように、免震構造建物１の工事作業に用いるため免震構造建物１に沿うようにして組み立てられている外部足場２の上部は壁つなぎ用金具２１によって免震構造建物１に緊結されていると共に、外部足場２は下記支持構造３によって支持されている。
【０００８】
また、免震構造建物１の地下部分は、基礎部床１１の上に基礎１２を構築し、この基礎１２の上に免震装置１３を介して基礎梁１４を構築して成る。そして、基礎梁１４の上には一階スラブ１５が構築され、さらに一階スラブ１５の上に外壁１６が構築されている。
【０００９】
基礎部床１１の周縁部１１Ａには擁壁１７が地上に向かって鉛直に構築されている。擁壁１７の上端縁１７Ａからは敷鉄板１８が地面Ｇを覆うように敷設されている。
【００１０】
外部足場２を支持する支持構造３は、外部足場２を載せるための鋼板３１を備え、鋼板３１の縁部３１Ａは一階スラブ１５の縁部１５Ａにアンカーボルト等の公知の手段によって固定されている。敷鉄板１８上にはＨ鋼３２が配設されており、Ｈ鋼３２によって鋼板３１が敷鉄板１８から所定の距離をおいて支持されるようになっている。
【００１１】
そして、Ｈ鋼３２の上面３２Ａと鋼板３１の下面３１Ｂとの間には、鋼板３１がＨ鋼３２の上で滑動可能となるようにするため、ステンレス板３３と木製板３４とを積層して成るすべり支承材３５が設けられている。なお、ステンレス板３３に代えてテフロン（登録商標）板とすることもできる。
【発明の開示】
【発明が解決しようとする課題】
【００１２】
安衛法関連によれば、外部足場等には脚部の滑動防止が要求され、前記特許文献１では、鋼板３１の上に足場を架設するもので、これでは敷板をしいて足場を架設するときのように、ジャッキベースを釘止めすることができないのでこの要請に反するおそれがある。
【００１３】
また、すべり支承材は、Ｈ鋼の上面と鋼板の下面との間に介在させるものであり、このような鋼板やＨ鋼の存在が必要不可欠であり、設置条件が限定されてしまう。
【００１４】
さらに、すべり支承材はステンレス板と木製板とを積層して成るもの、もしくはテフロン（登録商標）と木製板とを積層して成るものとされ、裁断加工に難があり、現場での加工調整は出来ず、釘打ち等での固定もできないので、設置も手間がかかる。
【００１５】
これに加えて、敷鉄板１８を敷くことは非現実的な方法である。また、鋼板３１はこれがかなり厚くないと足場脚部の荷重で反り返り、不安定であり且つすべり支承材３５が十分に機能しなくなるおそれがある。
【００１６】
本発明の目的は前記従来例の不都合を解消し、地震等の揺れが生じた時、免震構造物に緊結された外部仮設構造物が免震構造体の上部躯体の揺れに合わせて揺れるように支持することができるとともに、使用するすべり支承材は外部仮設構造物の脚部下に直接配設できるので設置が容易であり、足場等に使用する場合も通常の設置形態に直応用でき、しかも、通常時は滑り過ぎないが、地震時には必要な滑りを生じるような摩擦係数を有し、耐荷重能力にも優れ、加工もし易いので取り扱い易く、メンテナンス不要で現場向きであり、また、通常時の脚部の滑動防止が図れるので法規上の問題にも対処できる免震構造物用外部仮設構造物を提供することにある。
【課題を解決するための手段】
【００１７】
本発明は前記目的を達成するため、外部仮設構造物の脚部下に、外部仮設構造物が免震構造物の揺れに合わせて水平移動できるように、超高分子量ポリエチレン樹脂を原料として成形圧力１００ｋｇ／ｃｍ２以上で成形した、摩擦係数が乾燥状態で０．１〜０．２のすべり支承板を配設し、前記すべり支承板を配設した脚部の下端部をつなぎ金具を介して免震構造物に緊結したことを要旨とするものである。
【００１８】
本発明によれば、外部仮設構造物は免震構造物に壁つなぎを介して緊結されているので、免震構造建物に地震による揺れが生じた場合、免震装置より上の躯体が地面の揺れとは異なる免震構造体特有の揺れ方をするのに合わせて変動しようとするが、外部仮設構造物の脚部下はすべり支承板により水平方向に移動することで倒壊するのを有効に防止できる。
【００１９】
また、このすべり支承板は摩擦係数が乾燥状態で０．１〜０．２であるので前記地震時の滑動に好適であり、地震時以外では滑り難いものである。しかも超高分子量ポリエチレン樹脂を原料として成形圧力１００ｋｇ／ｃｍ２以上で成形したので外部仮設構造物の脚部下の接地面圧に耐える耐荷重能力がある。
【００２０】
さらに、カッターや鋸等での切断が可能であり、また、釘打ち等で固定も可能である。
【００２１】
また、壁つなぎは前記すべり支承板を配設した脚部下端近傍において行うこととしたので、地震時以外の通常時はこれにより免震構造建物に結合されて脚部の滑動防止が図れる。
【発明の効果】
【００２２】
以上述べたように本発明の免震構造物用外部仮設構造物は、地震等の揺れが生じた時、免震構造物に緊結された外部仮設構造物が免震構造体の上部躯体の揺れに合わせて揺れるように支持することができるとともに、使用するすべり支承材は外部仮設構造物の脚部下に直接配設できるので設置が容易であり、足場等に使用する場合も通常の設置形態に直応用でき、しかも、通常時は滑り過ぎないが、地震時には必要な滑りを生じるような摩擦係数を有し、耐荷重能力にも優れ、加工もし易いので取り扱い易く、メンテナンス不要で現場向きであり、また、通常時の脚部の滑動防止が図れるので法規上の問題にも対処できるものである。
【発明を実施するための最良の形態】
【００２３】
以下、本発明の実施の形態を図面について詳細に説明する。図１は本発明の免震構造物用外部仮設構造物の第１実施形態を示す側面図で、前記従来例を示す図２と同一構成要素には同一参照符号を付したものである。
【００２４】
外部仮設構造物としては、免震構造建物１の外部足場２の場合であり、免震構造建物１の工事作業に用いるため免震構造建物１に沿うようにして組み立てる。
【００２５】
免震構造建物１の地下部分は、基礎部床１１の上に基礎１２を構築し、この基礎１２の上に積層ゴムによる免震装置１３を介して基礎梁１４が構築され、この基礎梁１４の上には一階スラブ１５が構築され、さらに一階スラブ１５の上に建物躯体の外壁１６が構築されている。
【００２６】
基礎部床１１の周縁部１１Ａには擁壁１７が地上に向かって鉛直に構築され、擁壁１７の上端縁１７Ａを跨ぐように、一階スラブ１５の延長部としての犬走り１９が突出している。免震クリアランスとしては、基礎梁１４と擁壁１７の間隔ｌ（通常５０〜６０ｃｍ）と擁壁１７の上端縁１７Ａを跨ぐ犬走り１９の幅ｌ（通常５０〜６０ｃｍ）とは等しく、また、擁壁１７の上端縁１７Ａと犬走り１９の上下間隔ｈは通常５ｃｍとされる。
【００２７】
外部足場２は周知の枠組足場であり、脚部にジャッキベース４が組み込まれ、外側地面の水平に整地された上に敷いた敷板５等の上に設置される。
【００２８】
本発明は、ジャッキベース４と敷板５との間にすべり支承板６を配設した。このすべり支承板６は、外部足場２が免震構造建物１の上部躯体の揺れに合わせて水平移動できるように、超高分子量ポリエチレン樹脂を原料として成形圧力１００ｋｇ／ｃｍ２以上で成形した、摩擦係数が乾燥状態で０．１〜０．２のものである。
【００２９】
超高分子量ポリエチレンとしては、粘度平均分子量が５０万〜８００万、好ましくは３００万〜８００万程度のものが使用できる。圧縮成形に適した超高分子量ポリエチレンとしては、粒径が１０μｍ〜２０００μｍの粉末状のもので、１３５℃、デカリン中における極限粘度が５〜５０ｄｌ／ｇであり、粉末の密度が０．９２０〜０．９７０、嵩密度が０．３５〜０．５５のものが使用できる。
【００３０】
すべり支承板６を製造するためには、超高分子量ポリエチレン粉末を圧縮成形して板体とする。
【００３１】
すべり支承板６の寸法は、ジャッキベース４よりも少し大きめとし、大きな成形板を切断してピースとして得る。板厚は特に限定はないが、一例として５mm程度とする。
【００３２】
このようなすべり支承板６には、登録商標ハイモラー（エス・ケー・エス エンジニアリング株式会社の商品名）が好適であり、ちなみに物性は下記の通りである。（JlSKは試験方法を示す）
比重  JlSK7112  0.94（g/cm3）
引張降伏強さ  JlSK7113  24.1MPa(246kgf/cm2)
引張破断強さ  JlSK7113  40.8MPa(416kgf/cm2)
伸び  JlSK7113  334（％）
曲げ強さ  JlSK7203  22.7MPa(232kgf/cm2)
曲げ弾性率  JlSK7203  1176MPa(12000kgf/cm2)
デュロメータ硬度  JlSK7215  68HDD
アイゾット衝撃値  JlSK7110  破断せず
結晶溶解温度  135℃
耐熱使用温度  90℃
線膨張係数  +20℃〜90℃  1.9×10-4
熱伝導係数  0.36Kcal/m・hr・℃
比熱20℃  0.44Kcalkg℃
静摩擦係数  ドライ  0.1〜0.2
水中  0.05〜0.1
【００３３】
すべり支承板６は固定せずにジャッキベース４下に敷き込むだけでよいが、外部足場２はジャッキベース４を組み込む脚部２ａの下端部をつなぎ金具７で免震構造建物１に緊結した。
【００３４】
このつなぎ金具７には種々のものが採用できるが、一例としてアンカー金物とネジバー付きのクランプからなるものなどである。前記従来例での壁つなぎ用金具２１と同じものでもよい。外部足場２には免震構造建物１に平行する単管を脚部に配置し、この単管に適宜間隔でつなぎ金具７を設けることにより、間接的に外部足場２は脚部下端近傍を免震構造建物１に緊結するようにしてもよい。
【００３５】
また、つなぎ金具７での緊結は図示のように外壁１６に対して行う場合の他に、犬走り１９に対して行うことも可能である。
【００３６】
なお、外部足場２の最下段以外の部分においては、前記従来例と同じく。壁つなぎで、足場枠の上部を外壁１６に緊結する。
【００３７】
このようにして、外部足場２の脚部下端であるジャッキベース４下には敷板５との間にすべり支承板６が配設されている。
【００３８】
すべり支承板６は、成形圧力１００ｋｇ／ｃｍ２以上で成形されて耐荷重能力に優れ、外部足場２の荷重を受けても面圧で縮むことはない。
【００３９】
また、前記すべり支承板６を配設した外部足場２の脚部下端近傍は壁つなぎ７で一階スラブ１５の上に外壁１６に緊結されているので、通常時は外部足場２の脚部の滑動防止が図られている。
【００４０】
地震時には、免震構造建物１に地震による揺れが生じ、免震装置１３より上の上部躯体が地面の揺れとは異なる免震構造体特有の揺れ方をするのに合わせて、外部足場２も水平方向に移動し、その際には外部足場２の脚部２ａ下はすべり支承板６により滑動できる。
【００４１】
第２実施形態として、図示は省略するが外部仮設構造物としては工事用エレベータの場合で、前記すべり支承板６はガイドレールマストの脚部、ベースプレートの下に敷くものとし、寸法はベースプレート（７００×３３０）より少し大きめで７５０×３５０mmとする。板厚は５mmとした。
【００４２】
なお、ガイドレールマストの脚部のベースプレートは通常はアンカーボルトでコンクリート床に結合されるが、この場合はかかるアンカーボルトでは取り付けないものとする。
【００４３】
また、脚部につなぎ金物７を設ける点は、前記第１実施形態と同じである。
【図面の簡単な説明】
【００４４】
【図１】本発明の免震構造物用外部仮設構造物の第１実施形態を示す側面図である。
【図２】従来例を示す側面図である。
【符号の説明】
【００４５】
１…免震構造建物            ２…外部足場
３…支持構造                ４…ジャッキベース
５…敷板                    ６…すべり支承板
７…つなぎ金物
１１…基礎部床              １１Ａ…周縁部
１２…基礎
１３…免震装置              １４…基礎梁
１５…一階スラブ            １５Ａ…縁部
１６…外壁
１７…擁壁                  １７Ａ…上端縁
１８…敷鉄板                １９…敷きコンクリート
２１…壁つなぎ用金具
３１…鋼板                  ３１Ａ…縁部
３２…Ｈ鋼
３２Ａ…上面                ３１Ｂ…下面
３３…ステンレス板          ３４…木製板
３５…すべり支承材
【図１】
2008291859.tif 000003
【図２】
2008291859.tif 000004